(57)【要約】【課題】洗浄水供給部を容易に配管に接続することができる便器洗浄装置、便器装置および便器装置の施工方法を提供する。【解決手段】便器洗浄装置１は、便鉢８０の上部に形成されたリム吐水孔へ水を通流するリム側配管と、リム側配管に水を供給する洗浄水供給部１１とを備える。リム側配管の上流端部にソケット部１４が設けられている。洗浄水供給部１１は、ソケット部１４に接続される連結管を有する。保持部材５０は、ソケット部１４を保持し、便器１００の水平方向に移動可能に設けられている。【選択図】図１
2017197979.tif 000002
【特許請求の範囲】
【請求項１】
便鉢の上部に形成されたリム吐水孔へ水を通流する配管と、前記配管に水を供給する洗浄水供給部とを備えた便器洗浄装置において、
前記配管の上流端部に接続部が設けられており、
前記洗浄水供給部は、前記接続部に接続される被接続部を有し、
前記接続部を保持する保持部材が、便器の水平方向に移動可能に設けられていることを特徴とする便器洗浄装置。
【請求項２】
前記接続部は、上下方向を軸方向とする筒状をなし、
前記被接続部は、前記接続部に上方から挿入されていることを特徴とする請求項１に記載の便器洗浄装置。
【請求項３】
前記接続部は、端部に前記被接続部を軸方向に案内する案内部を有することを特徴とする請求項１または２に記載の便器洗浄装置。
【請求項４】
前記接続部は、便器の水平方向へ移動可能に前記保持部材によって保持されていることを特徴とする請求項１から３のいずれか１項に記載の便器洗浄装置。
【請求項５】
前記保持部材は、上下方向の軸まわりに回動可能に取付けられていることを特徴とする請求項１から４のいずれか１項に記載の便器洗浄装置。
【請求項６】
請求項１から５のいずれか１項に記載の便器洗浄装置と、
前記洗浄水供給部を取付けるベースプレートとを備えることを特徴とする便器装置。
【請求項７】
請求項６に記載の便器装置の施工方法であって、
前記ベースプレートに前記洗浄水供給部を取付ける第１工程と、
前記接続部に前記被接続部を接続する第２工程と、
を備えることを特徴とする便器装置の施工方法。
【発明の詳細な説明】
【技術分野】
【０００１】
本発明は、便器洗浄装置、便器装置および便器装置の施工方法に関する。
【背景技術】
【０００２】
便器洗浄装置は、給水源から供給される水を便器の便鉢内に吐出し、便鉢を洗浄する。便鉢を洗浄した水は、便鉢内を旋回しつつ流下し、便鉢の底部に接続された排水通路部から汚物とともに排出される。
【０００３】
例えば、特許文献１には、便鉢の上端開口部の内周部に形成されたリム部に水を通流するための配管と、該配管に接続されて洗浄水を供給する洗浄水供給部とを備える便器洗浄装置が開示されている。配管は、洗浄水供給部を便器に取付けるためのベースプレートに端部が固定されている。洗浄水供給部は、ベースプレートに固定された配管に連結するようにベースプレートに取付けられる。
【先行技術文献】
【特許文献】
【０００４】
【特許文献１】特開平０３−２５３６２８号公報
【発明の概要】
【発明が解決しようとする課題】
【０００５】
しかしながら、特許文献１に記載の便器洗浄装置では、ベースプレートに配管を固定した後、洗浄水供給部を配管に連結させてベースプレートに取付ける必要があり、ベースプレートに予め洗浄水供給部を取付けておくことができないという制約があった。
【０００６】
昨今の便器には、ユーザがより快適に便器を利用できるようにするために、例えば、臀部を洗浄する洗浄機器、便座を暖める便座暖房機器、および温風を送出する送風機器等の各種機器が搭載されている。これらの各種機器は、通常、洗浄水供給部とともにベースプレートに配置されるが、上述の制約のために洗浄水供給部を取付けるためのスペースに干渉しないようにベースプレートに配置しなければならなかった。
【０００７】
このような制約を回避するために、便器側に配管を固定しておき、該配管に洗浄水供給部を接続する構成とすることが考えられる。この場合、配管と洗浄水供給部の位置を合わせるために、配管と洗浄水供給部との接続に関係する部品、例えば便器やベースプレート等に対する寸法精度要求が高くなるとともに、組立時の位置調整が難しくなって手間がかかるという問題点が生じてしまう。
【０００８】
本発明は、斯かる事情に鑑みてなされたものであり、その目的とするところは、洗浄水供給部を容易に配管に接続することができる便器洗浄装置、便器装置および便器装置の施工方法を提供することにある。
【課題を解決するための手段】
【０００９】
本発明に係る便器洗浄装置は、便鉢の上部に形成されたリム吐水孔へ水を通流する配管と、前記配管に水を供給する洗浄水供給部とを備えた便器洗浄装置において、前記配管の上流端部に接続部が設けられており、前記洗浄水供給部は、前記接続部に接続される被接続部を有し、前記接続部を保持する保持部材が、便器の水平方向に移動可能に設けられていることを特徴とする。
【００１０】
本発明にあっては、便器洗浄装置は、便鉢の上部に形成されたリム吐水孔へ水を通流する配管と、該配管に水を供給する洗浄水供給部とを備える。接続部は、配管の上流端部に設けられている。洗浄水供給部は被接続部を有し、該被接続部が接続部に接続される。接続部を保持する保持部材が、便器の水平方向に移動可能に設けられている。これにより、被接続部を接続部に接続する際に、接続部が水平方向に移動するので、洗浄水供給部を容易に配管に接続することができる。
【００１１】
本発明に係る便器装置は、上述の便器洗浄装置と、前記洗浄水供給部を取付けるベースプレートとを備えることを特徴とする。
【００１２】
本発明にあっては、洗浄水供給部がベースプレートに取付けられるので、便器装置の組立性が良くなる。
【００１３】
本発明に係る便器装置の施工方法は、前記ベースプレートに前記洗浄水供給部を取付ける第１工程と、前記接続部に前記被接続部を接続する第２工程と、を備えることを特徴とする。
【００１４】
本発明にあっては、第１工程により洗浄水供給部をベースプレートに取付け、第２工程により接続部に被接続部を接続するので、洗浄水供給部を配管に容易に接続することができる。
【発明の効果】
【００１５】
本発明によれば、接続部が配管の上流端部に設けられている。洗浄水供給部は被接続部を有し、該被接続部が接続部に接続される。接続部を保持する保持部材が、便器の左右方向に移動可能に設けられている。このため、被接続部を接続部に接続する際に、接続部が左右方向に移動するので、洗浄水供給部を容易に配管に接続することができる。
【図面の簡単な説明】
【００１６】
【図１】実施形態に係る便器洗浄装置を備えた便器装置の分解斜視図である。
【図２】実施形態に係る便器洗浄装置を配置した便器装置の外観を示す斜視図である。
【図３】便器の外観を示す斜視図である。
【図４】便器洗浄装置の外観を示す斜視図である。
【図５】保持部材およびソケット部の斜視図である。
【図６】保持部材およびソケット部の正面図である。
【図７】保持部材の平面図である。
【図８】ソケット部の縦断面図である。
【図９】便器装置の平面図である。
【図１０】ベースプレートを便器に取付ける前の図９に示すＡ−Ａ線による断面図である。
【図１１】ベースプレートを便器に取付けた後の図９に示すＡ−Ａ線による断面図である。
【図１２】便器装置の施工方法を示す模式図である。
【発明を実施するための形態】
【００１７】
以下、本発明を好適な実施の形態をもとに図１から図１２を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１８】
図１は実施形態に係る便器洗浄装置１を備えた便器装置１０１の分解斜視図である。便器１００は、前端Ｆ側に便鉢８０、該便鉢８０の後方に機器収容部９０を有する。機器収容部９０には、便器洗浄装置１の洗浄水供給部１１のほか、臀部を洗浄する洗浄機器、便座を暖める便座暖房機器、便鉢８０内へ温風を送出する送風機器、および洗浄泡供給機器等の機器（以下、「各種機器」と表記する。）が収容される。便器装置１０１は、便器１００、便器洗浄装置１および各種機器等によって構成されている。
【００１９】
便器洗浄装置１は、便鉢８０に吐出する洗浄水を通流するための配管を有し、該配管の上流端部に設けたソケット部１４に洗浄水供給部１１が連結される。ソケット部１４は、便器１００に取付けた保持部材５０によって保持されている。洗浄水供給部１１は、ベースプレート４０に取付けられており、ベースプレート４０を介して上方から機器収容部９０に取付けられる。ソケット部１４は、洗浄水供給部１１に連結された後、ボルト７０によってベースプレート４０に固定される。
【００２０】
図２は実施形態に係る便器洗浄装置１を配置した便器装置１０１の外観を示す斜視図であり、図３は便器１００の外観を示す斜視図である。図２において、ベースプレート４０の表記は省略している。便器１００は、上端の周縁部分がほぼ同じ高さにあり、便鉢８０と機器収容部９０との間に周縁部分から一段下がった凹所９５が形成されている。
【００２１】
便鉢８０は汚物を受けるための鉢状の受け面部８０ａと、上端開口部の内周部に形成されたリム部８１を有する。図２および図３に示すリム部８１には、第１リム吐水孔８２ａおよび第２リム吐水孔８２ｂから吐出される水を棚部８１ａで受けて一方向に旋回させるように導くリム導水路８１ｂが形成される。棚部８１ａは、棚部８１ａの下方に連なる受け面部８０ａの内周面部分より緩やかな勾配となるように形成される。また、リム導水路８１ｂは、便鉢８０の上端内周部のほぼ全周に形成されている。リム部８１は、前端Ｆ側および左右両側でほぼ同じ高さの位置に、後部側で一段下がった低い位置に形成されており、左右両側と後部側は傾斜面によって接続されている。前端Ｆ側から見て便鉢８０の左側のリム部８１には、前方向に臨む第１リム吐水孔８２ａが設けられている。また、便鉢８０の後部右側のリム部８１には、左方向に臨む第２リム吐水孔８２ｂが設けられている。第１リム吐水孔８２ａおよび第２リム吐水孔８２ｂは、便鉢８０後方の機器収容部９０側に設けられた取付孔等に連通している。
【００２２】
第１リム吐水孔８２ａには、後述する便器洗浄装置１の第１リム通水管２１の先端部が配置されている。第１リム吐水孔８２ａは、第１リム通水管２１から供給される水を吐出する。第１リム吐水孔８２ａから吐出された水は、リム部８１のリム導水路８１ｂを左側から前側を通って右側に通流し、一方向に旋回しつつ便鉢８０内を受け面部８０ａに沿って流下する。また、第２リム吐水孔８２ｂには、後述する便器洗浄装置１の第２リム通水管２２の先端部が配置されている。第２リム吐水孔８２ｂは、第２リム通水管２２から供給される水を吐出する。第２リム吐水孔８２ｂから吐出された水は、リム部８１のリム導水路８１ｂを後部側から左側へと通流し、第１リム吐水孔８２ａから吐出された水と合流し、一方向に旋回しつつ便鉢８０内を受け面部８０ａに沿って流下する。
【００２３】
受け面部８０ａに沿って流下した水は、便鉢８０の底部に接続された排水通路から汚物とともに排出される。排水通路の上流側には後述する便器洗浄装置１のジェット通水管３０が取付けられている。ジェット通水管３０から吐出された水は、受け面部８０ａに沿って流下した水に合流して流速を増し、排水通路から排出される。
【００２４】
機器収容部９０は、便器１００の後部に設けた左右壁体９０ａおよび後壁体９０ｂを有し、前方は凹所９５に開口している。左右壁体９０ａおよび後壁体９０ｂは、便器１００の底部から上端部に亘って設けられている。凹所９５の後方には、保持部材５０を取付ける取付座部９６が設けられている。取付座部９６は、上面が平坦であり、後方側の周側部が半円状に形成されている。機器収容部９０は、左右壁体９０ａおよび後壁体９０ｂで囲む空間および凹所９５上方の空間に、ベースプレート４０に取付けた便器洗浄装置１の洗浄水供給部１１および上述の各種機器を収容する。各種機器は、便器洗浄装置１の配管と機械的に干渉することなくアクセス性を考慮して機器収容部９０の上端部側に収容することが好ましい。
【００２５】
図４は便器洗浄装置１の外観を示す斜視図である。便器洗浄装置１は、洗浄水供給部１１、ソケット部１４、第１リム通水管２１、第２リム通水管２２およびジェット通水管３０を備える。洗浄水供給部１１は、給水源から供給される水の流量、水圧を調節し、給水／止水を制御する複数のバルブが組み込まれており、リム側排水口１２およびジェット側排水口１３から排水して下流側へ給水する。洗浄水供給部１１は、リム側排水口１２に接続された連結管１２ａおよびジェット側排水口１３に接続された連結管１３ａをソケット部１４に上方から差し込むようにして接続し、機器収容部９０内部に収容される。
【００２６】
ソケット部１４は、筒状の２つのソケットを有し、各ソケットにリム側排水口１２およびジェット側排水口１３に接続された連結管１２ａおよび１３ａが挿入され、接続される。ソケット部１４の各ソケットには、軟質性のリム側配管１５およびジェット側配管１６の上流端部が取付けられている。リム側配管１５は、ソケット部１４から下方に延び、左方向へ屈曲し、さらに前方へ屈曲して、配管固定部１５ａに至る。ジェット側配管１６は、ソケット部１４から左下方向に延び、前方へ屈曲して配管固定部１６ａに至る。
【００２７】
リム側配管１５は、配管固定部１５ａの手前で右方向へ分岐するリム側分岐配管１７を有する。リム側分岐配管１７は、略水平に右方向に延び、前方へ屈曲して、配管固定部１７ａに至る。配管固定部１５ａは、便鉢８０の後方に設けられた取付孔に取付けられている。同様に、配管固定部１６ａおよび１７ａは、便鉢８０の後方に設けられた取付孔に取付けられている。
【００２８】
第１リム通水管２１は、軟質性または硬質性の配管である。第１リム通水管２１の下流端部である先端部は、略水平で直線状であり、円環状の規制部材２１ａを介して第１リム吐水孔８２ａに嵌合し、リム部８１とほぼ平行に配置されている。第１リム通水管２１は、先端部から右斜め下の後方へ屈曲し、さらに略水平に後方へ屈曲して後端部に至る。第１リム通水管２１の後端部は、配管固定部１５ａに取付けられて便器１００に設けた取付孔に固定される。
【００２９】
第２リム通水管２２は、軟質性又は硬質性の配管である。第２リム通水管２２の下流端部である先端部は直線状であり、半径方向に３つの舌片が形成された規制部２２ａによって第２リム吐水孔８２ｂに嵌合し、リム部８１とほぼ平行に配置されている。第２リム通水管２２は、先端部から後方へ屈曲して後端部に至る。第２リム通水管２２の後端部は、配管固定部１７ａに取付けられて便器１００に設けた取付孔に固定される。
【００３０】
ジェット通水管３０は、部分的に硬質性および軟質性の配管を組み合わせ、中途部に適宜ベローズ部を設けて伸縮性を持たせた配管であり、便鉢８０の底部に接続された排水通路の上流側に下流端部が取付けられている。ジェット通水管３０は、下流端部から一旦前方へ延び、左斜め上の後方へ屈曲し、後方へ屈曲して後端部に至る。ジェット通水管３０の後端部は、配管固定部１６ａに取付けられて便器１００に設けた取付孔に固定される。
【００３１】
図５は保持部材５０およびソケット部１４の斜視図であり、図６は保持部材５０およびソケット部１４の正面図であり、図７は保持部材５０の平面図である。保持部材５０は、扇形の板状をなす基部５１、基部５１の円弧部分から下方に屈曲した周側部５２、および周側部５２の周方向における中央部から側方へ突出し、上方に屈曲してＬ字状をなすアーム部５３を有する。
【００３２】
図６、７に示すように、アーム部５３における上方へ延びる柱状部分５３ａの上端面５４は、平坦状であり、円弧状に両長辺部分５４ａが穿たれた長方形状をなす。上端面５４は、両長辺部分５４ａが円弧状に穿たれているため、長手方向の中央部における短手方向の幅よりも、両短辺部分５４ｂの幅が広くなっている。
【００３３】
保持部材５０は、便器１００に設けられた取付座部９６に基部５１を載せ、扇形の要に設けた通し孔および取付座部９６に設けた通し孔にボルト７１を挿入し、取付座部９６の下方からナットをボルト７１に螺合して取付座部９６に取付けられている。基部５１は、ボルト７１によって取付座部９６に締め付けられているものではなく、保持部材５０が取付座部９６から外れないようにしており、例えば、基部５１および取付座部９６の厚みを合計した寸法よりもボルト７１の円筒部の長さ寸法を大きくしてある。このため、保持部材５０は、ボルト７１を中心として取付座部９６上で上下方向の軸まわりに回動可能である。
【００３４】
ソケット部１４は、リム側配管１５の上流端部が接続される第１ソケット１４ａ、およびジェット側配管１６の上流端部が接続される第２ソケット１４ｂを有する。第１ソケット１４ａおよび第２ソケット１４ｂは、軸方向が互いに平行となるように柱状の基部１４ｃに固定されている。基部１４ｃは、上端部に上述のボルト７０に螺合されるナット７０ａを収容する収容室１４ｄを有し、下端部における第１ソケット１４ａおよび第２ソケット１４ｂの間に平坦な下端面１４ｅが形成されている。ナット７０ａは、収容室１４ｄの内側面に当接して回転しないように規制されている。ソケット部１４は、保持部材５０の上端面５４にソケット部１４の下端面１４ｅが接触するように、保持部材５０に対して上方から載せられ、保持部材５０によって保持されている。第１ソケット１４ａおよび第２ソケット１４ｂの周側部は、保持部材５０の上端面５４における円弧状に穿たれた長辺部分５４ａに沿っており、長辺部分５４ａとの間に若干の隙間を有する。
【００３５】
図８はソケット部１４の縦断面図である。第１ソケット１４ａは、洗浄水供給部１１の連結管１２ａの下流端部に嵌め合わされる嵌合部１４ｆ、および嵌合部１４ｆの上部に嵌合部１４ｆよりも内径寸法が大きい案内部１４ｇを有する。同様に、第２ソケット１４ｂは、洗浄水供給部１１の連結管１３ａの下流端部に嵌め合わされる嵌合部１４ｆ、および嵌合部１４ｆの上部に嵌合部１４ｆよりも内径寸法が大きい案内部１４ｇを有する。第１ソケット１４ａおよび第２ソケット１４ｂそれぞれの案内部１４ｇの内径寸法は、連結管１２ａおよび１３ａの外径寸法よりも大きい。
【００３６】
次に、実施形態の便器洗浄装置１を便器１００に取付ける際の動作および施工方法について説明する。図９は便器装置１０１の平面図であり、図１０はベースプレート４０を便器１００に取付ける前の図９に示すＡ−Ａ線による断面図であり、図１１はベースプレート４０を便器１００に取付けた後の図９に示すＡ−Ａ線による断面図である。便器洗浄装置１の洗浄水供給部１１は、ベースプレート４０の後部寄りに取付けられており、ベースプレート４０の中央側の上方に連結管１２ａおよび１３ａが配置されている。ベースプレート４０には、連結管１２ａおよび１３ａをベースプレート４０の下方に位置するソケット部１４に接続するために、連結管１２ａおよび１３ａの位置に対応する中央部において上下に貫通する貫通孔４０ａが形成されている。
【００３７】
ベースプレート４０は、連結管１２ａおよび１３ａの間にボルト７０の通し孔を設けた座部４０ｂを有している。ベースプレート４０は、フランジ部４０ｃにより便器１００の後部における左右壁体９０ａの上端面に上方から載せられる。
【００３８】
便器１００には、リム側配管１５およびジェット側配管１６が配索されている。また、便器１００の取付座部９６（図２、図５参照）には、保持部材５０が上下方向の軸まわりに回動可能に取付けられている。リム側配管１５およびジェット側配管１６の端部を接続したソケット部１４は、下端面１４ｅが保持部材５０の上端面５４に接触するように載せられている。
【００３９】
保持部材５０が扇状の基部５１の要における上下方向の軸まわりに回動することにより、上端面５４が左右方向に移動し、上端面５４に載せられたソケット部１４も上端面５４の動きに対応して左右方向に移動することができる。第１ソケット１４ａおよび第２ソケット１４ｂの周側部は、保持部材５０の上端面５４における円弧状に穿たれた長辺部分５４ａに沿っており、周側部間の距離が上端面５４の長手方向の中央部における短手方向の幅と同程度か若干の隙間の分だけ大きい。上端面５４の長手方向の中央部における短手方向の幅よりも両短辺部分５４ｂの幅が広くなっているため、第１ソケット１４ａおよび第２ソケット１４ｂの周側部は、両短辺部分５４ｂを乗り越えて上端面５４の長手方向に移動することができないように制限されている。
【００４０】
ソケット部１４は、保持部材５０の回動に伴う左右方向への移動のほか、部材間の隙間の分だけ水平な任意の方向に移動できる。ソケット部１４は、取付座部９６および保持部材５０に設けた通し孔の内径とボルト７１の円筒部の外径との差によって生じる隙間の分、水平な任意の方向に移動できる。また、ソケット部１４は、第１ソケット１４ａおよび第２ソケット１４ｂの周側部と保持部材５０における上端面５４の長辺部分５４ａとの間に生じる隙間の分、水平な任意の方向に移動できる。
【００４１】
図１２は便器装置１０１の施工方法を示す模式図である。各図（ａ）〜（ｃ）は、施工作業の流れを斜め前方からの斜視図で示している。便器装置１０１の施工方法は、ベースプレート４０に洗浄水供給部１１を取付ける第１工程と、ソケット部１４に連結管１２ａおよび１３ａを接続する第２工程とを備える。図１２（ａ）に示すように、第１工程において、ベースプレート４０に洗浄水供給部１１をねじ等の締結具で取付ける。これにより、ベースプレート４０と洗浄水供給部１１が一体のユニット１０２となる。この際、ベースプレート４０には、洗浄水供給部１１のほか、各種機器を取付けておくことができる。
【００４２】
続いて、図１２（ｂ）に示すように、第２工程において、洗浄水供給部１１およびベースプレート４０を含むユニット１０２を便器１００の上方から下降させ、ソケット部１４に連結管１２ａおよび１３ａを接続しつつ、便器１００の上端面に載せる。ボルト７０は、ユニット１０２を便器１００に載せた後、後述のようにベースプレート４０とソケット部１４を締結する。この第２工程の結果、洗浄水供給部１１およびベースプレート４０を含むユニット１０２が便器１００に取付けられ、図１２（ｃ）に示すように便器装置１０１が組み上がる。
【００４３】
この第２工程では、洗浄水供給部１１が取付けられたベースプレート４０を便器１００の上方から下降させ、連結管１２ａおよび１３ａの下流端部をソケット部１４の案内部１４ｇの上端開口部分に嵌め合わす（図１０、図１１参照）。案内部１４ｇの内径寸法は、連結管１２ａおよび１３ａの外径寸法よりも大きいので、連結管１２ａおよび１３ａの下流端部を容易に案内部１４ｇの上端開口部分に嵌め合わせることができる。
【００４４】
さらにベースプレート４０を下降させると、連結管１２ａおよび１３ａは、ソケット部１４の案内部１４ｇの内周面によって案内され、第１ソケット１４ａおよび１４ｂ内に挿入されていく。ソケット部１４において、案内部１４ｇは嵌合部１４ｆよりも内径寸法が大きいので、案内部１４ｇの内周部に接触して案内される連結管１２ａおよび１３ａは、案内部１４ｇの内周部の周上のいずれかの箇所に内接した状態となっている。このため、案内部１４ｇの内周部に接触して案内される連結管１２ａおよび１３ａの軸線は、嵌合部１４ｆの軸線からずれた状態になっている可能性がある。
【００４５】
連結管１２ａおよび１３ａの下流端部が嵌合部１４ｆに嵌め合わされる際に、ソケット部１４は、連結管１２ａおよび１３ａの軸線と嵌合部１４ｆの軸線とが一致するように移動する。ソケット部１４が保持部材５０の回動に伴って左右方向へ移動することができ、さらには部材間の隙間の分だけ水平な任意の方向に移動することができるので、連結管１２ａおよび１３ａの下流端部を嵌合部１４ｆに嵌め合わす作業が容易に行える。
【００４６】
ベースプレート４０は、フランジ部４０ｃの下面が便器１００の後部における左右壁体９０ａの上端面に当接する。ボルト７０をベースプレート４０の上方から挿入し、ソケット部１４側に設けたナット７０ａに螺合させて締め付けることによって、ソケット部１４をベースプレート４０に固定することができる。
【００４７】
さらに、左右におけるフランジ部４０ｃの外面と、左右壁体９０ａの外壁面との左右方向の位置関係が同等になるように、ベースプレート４０の左右方向の位置を調整する。この調整の際、ソケット部１４がベースプレート４０とともに移動するが、ソケット部１４の移動に追従するように保持部材５０が回動して左右方向に移動することができる。ベースプレート４０は、左右方向の位置を調整した後、締結具によって便器１００に固定される。
【００４８】
次に、実施形態に係る便器洗浄装置１の特徴を説明する。
本発明の実施形態に係る便器洗浄装置１は、便鉢８０の上部に形成されたリム吐水孔である第１リム吐水孔８２ａおよび第２リム吐水孔８２ｂへ水を通流する配管であるリム側配管１５と、リム側配管１５に水を供給する洗浄水供給部１１とを備える。リム側配管１５の上流端部に接続部であるソケット部１４が設けられている。洗浄水供給部１１は、ソケット部１４に接続される被接続部である連結管１２ａを有する。保持部材５０は、ソケット部１４を保持し、便器１００の水平方向に移動可能に設けられている。これにより、連結管１２ａをソケット部１４に接続する際に、ソケット部１４が水平方向に移動するので、洗浄水供給部１１を容易にリム側配管１５に接続することができる。
【００４９】
またソケット部１４は、上下方向を軸方向とする筒状をなす。連結管１２ａは、ソケット部１４に上方から挿入されている。便器１００の上方から洗浄水供給部１１を下降させてリム側配管１５に接続することができるので、作業性が良い。
【００５０】
またソケット部１４は、端部の内周面に連結管１２ａを軸方向に案内する案内部１４ｇを有する。これにより、連結管１２ａをソケット部１４に取付ける作業を確実に行うことができる。
【００５１】
またソケット部１４は、便器１００の水平方向へ移動可能に保持部材５０によって保持されている。これにより、ソケット部１４に連結管１２ａを連結する際に、ソケット部１４が水平方向に移動するので、洗浄水供給部１１を容易にリム側配管１５に接続することができる。
【００５２】
また保持部材５０は、上下方向の軸まわりに回動可能に取付けられている。これにより、保持部材５０の取付構造を簡潔化することができる。
【００５３】
また便器装置１０１は、上述の便器洗浄装置１と、洗浄水供給部１１を取付けるベースプレート４０とを備える。これにより、洗浄水供給部１１がベースプレート４０に取付けられるので、便器装置１０１の組立性が良くなる。ベースプレート４０は、洗浄水供給部１１のほか各種機器を搭載し、便器１００へ取付けることで、さらに便器装置１０１の組立性が向上する。
【００５４】
また便器装置１０１の施工方法は、ベースプレート４０に洗浄水供給部１１を取付ける第１工程と、ソケット部１４に連結管１２ａを接続する第２工程とを備える。これにより、便器装置の施工の際に、洗浄水供給部１１をリム側配管１５に容易に接続することができる。
【００５５】
上述の実施形態においては、ソケット部１４に第１ソケット１４ａおよび第２ソケット１４ｂの２つを設ける構成としているが、例えばジェット側配管１６が無いような場合に対応して、ソケット部１４にソケットを１つ設けるようにしても良い。ソケット部１４にソケットを１つ設ける場合、保持部材５０のアーム部５３における柱状部分５３ａの上端部にソケットの周側部を把持する把持部を設けるとよい。把持部は、周上の一部を切除して開口が形成されたリング状をなし、該開口の幅を配管の外径寸法よりも大きく、かつソケットの外径寸法より小さくすれば良い。これにより、配管部分を開口から把持部内部に挿入することができ、ソケットの周側部を把持した状態では開口からソケットが抜けないようにすることができる。また、保持部材５０がソケット部１４を保持する構成には、保持部材５０に接着剤や締結具によってソケット部１４を固定する構成や、保持部材５０およびソケット部１４を一体成形した構成も含まれており、本発明の特許請求の範囲内にある。
【００５６】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５７】
１  便器洗浄装置、  １１  洗浄水供給部、  １２ａ  連結管（被接続部）、
１４  ソケット部（接続部）、  １４ｇ  案内部、  １５  リム側配管（配管）、
４０  ベースプレート、  ５０  保持部材、
８２ａ  第１リム吐水孔（リム吐水孔）、  ８２ｂ  第２リム吐水孔（リム吐水孔）、
１０１  便器装置。
【図１】
2017197979.tif 000003
【図２】
2017197979.tif 000004
【図３】
2017197979.tif 000005
【図４】
2017197979.tif 000006
【図５】
2017197979.tif 000007
【図６】
2017197979.tif 000008
【図７】
2017197979.tif 000009
【図８】
2017197979.tif 000010
【図９】
2017197979.tif 000011
【図１０】
2017197979.tif 000012
【図１１】
2017197979.tif 000013
【図１２】
2017197979.tif 000014